(57)【特許請求の範囲】
【請求項１】
受信信号を信号復調手段によって復調し、該復調信号を前記受信信号の種別に応じた雑音低減手段を介して出力する受信機における雑音低減装置であって、
前記受信信号の種別に応じて前記雑音低減手段を選択的に切換える雑音低減手段選択手段と、前記雑音低減手段から出力された信号をアッテネータに供給するか直接出力するかを選択する出力ライン選択手段と、前記雑音低減手段選択手段と前記出力ライン選択手段を制御する制御手段とを備え、
前記制御手段は、前記受信信号の種別変化を判断して、前記出力ライン選択手段を前記アッテネータに供給する側に選択した後、前記雑音低減手段選択手段を前記種別変化に応じて選択的に切換えることを特徴とする受信機における雑音低減装置。
【請求項２】
前記アッテネータはアッテネート量が調整可能であり、前記制御手段は前記アッテネート量を調整する調整手段を備え、
該制御手段は、前記出力ライン選択手段を前記アッテネータに供給する側に選択するに先だって、前記アッテネータ量を最小にセットし、前記出力ライン選択手段を前記アッテネータに供給する側に選択した後、前記アッテネータ量を最大にセットして、前記雑音低減手段選択手段を前記種別変化に応じて選択的に切換えることを特徴とする請求項１に記載された受信機における雑音低減装置。
【請求項３】
前記制御部は、前記受信信号中に含まれるパイロット信号に基づき前記受信信号がステレオ信号とモノラル信号の何れかであるかを判別する信号判別部を備え、
前記信号復調手段は、ステレオ信号復調部とモノラル信号用復調部とを備え、
前記雑音低減手段は、ステレオ信号雑音低減部とモノラル信号雑音低減部とを独立して備え、
前記雑音低減手段選択手段は、前記信号判別部の判別結果に基づき、前記ステレオ信号復調部又は前記モノラル信号用復調部で復調された復調信号の供給先を前記ステレオ信号雑音低減部又は前記モノラル信号雑音低減部の何れかに切り換える信号供給切換部を備えることを特徴とする請求項１又は２に記載された受信機における雑音低減装置。
【請求項４】
受信信号を信号復調手段によって復調し、該復調信号を前記受信信号の種別に応じた雑音低減手段を介して出力する受信機における雑音低減方法であって、
前記受信信号の種別に応じて前記雑音低減手段を選択的に切換える雑音低減手段選択手段と、前記雑音低減手段から出力された信号をアッテネータに供給するか直接出力するかを選択する出力ライン選択手段と、前記雑音低減手段選択手段と前記出力ライン選択手段を制御する制御手段とを備える受信機に対して、
前記受信信号の種別変化を判断して、前記出力ライン選択手段を前記アッテネータに供給する側に選択する第１選択工程と、その後、前記雑音低減手段選択手段を前記種別変化に応じて選択的に切換える第２選択工程とを有することを特徴とする受信機における雑音低減方法。
【請求項５】
前記アッテネータはアッテネート量が調整可能であり、
前記第１選択工程に先だって、前記アッテネータ量を最小にセットし、前記第１選択工程の後、前記アッテネータ量を最大にセットして、前記第２選択工程を行うことを特徴とする請求項１に記載された受信機における雑音低減方法。
【請求項６】
前記第２選択工程の切換え確認後に前記アッテネータ量を最小にセットし、その後、前記出力ライン選択手段を直接出力側に選択することを特徴とする請求項５記載の受信機における雑音低減方法。
【発明の詳細な説明】
【０００１】
【発明の属する技術分野】
本発明は、受信機における雑音低減装置の技術分野に属し、さらに詳しくは、受信機における受信信号の種別が変化した際に生じる雑音を低減する雑音低減装置及び雑音低減方法に関する。
【０００２】
【従来の技術】
従来、異なる種別の受信信号（例えば、モノラル信号とステレオ信号）受信する受信機においては、受信信号の変化に応じて受信機内における信号の復調部を選択的に切換えている。このような受信機にあっても、それぞれの種別に応じたノイズリダクシヨンシステム（雑音低減手段）を備えるものは例を見ない。
【０００３】
【発明が解決しようとする課題】
しかしながら、近年の技術進歩によれば上記のようなそれぞれの種別に応じたノイズリダクシヨンシステム（雑音低減手段）を備える受信機が開発されるのも時間の問題であるが、このような受信機においては以下のような技術的課題が発生することは否めない。
【０００４】
例えば、モノラル信号用とステレオ信号用との、それぞれのノイズリダクシヨンシステムを備える受信機の場合、受信信号に含まれるパイロット信号の有無を判断することにより自動的に受信信号の復調部を選択的に切換え、且つ自動的にノイズリダクシヨンシステムを選択的に切換えることが予想される。
【０００５】
このような、受信機においては、ノイズリダクションシステムを選択的に切換える際の、切り換えノイズ（スイッチングノイズ）の発生は否めない。さらには、受信信号の種別の変化タイミングに対するノイズリダクシヨンシステムの切換えタイミングの遅れにより、リアルタイムで受信機内に取り込まれる受信信号が適合しないノイズリダクションシステムヘ供給され、十分なノイズ除去がなされないことが予想される。より具体的に説明すると、受信信号がステレオ信号からモノラル信号に変化した際、変化直後のモノラル信号がステレオ信号用のノイズリダクションシステムに供給される（漏れ込む）、又は、これとは反対に受信信号がモノラル信号からステレオ信号に変化した際、変化直後のステレオ信号がモノラル信号のノイズリダクションシステムに供給される（漏れ込む）ことが予想される。この場合、適合しないノイズリダクションシステムヘ供給された（漏れ込んだ）信号は十分なノイズ低減処理がなされぬまま、大きなノイズレベルのままで出力されてしまう。
【０００６】
本発明は上記のような課題に着目し、異なる種別の信号に応じたノイズリダションシステムを備えた受信機においても、切換ノイズやノイズ低減処理が十分になされていない信号が出力されることを防止する受信機の雑音低減装置を提供することにある。
【０００７】
【課題を解決する手段】
上記の課題を解決するために、請求項１に記載の発明は、受信信号を信号復調手段によって復調し、該復調信号を前記受信信号の種別に応じた雑音低減手段を介して出力する受信機における雑音低減装置であって、前記受信信号の種別に応じて前記雑音低減手段を選択的に切換える雑音低減手段選択手段と、前記雑音低減手段から出力された信号をアッテネータに供給するか直接出力するかを選択する出力ライン選択手段と、前記雑音低減手段選択手段と前記出力ライン選択手段を制御する制御手段とを備え、前記制御手段は、前記受信信号の種別変化を判断して、前記出力ライン選択手段を前記アッテネータに供給する側に選択した後、前記雑音低減手段選択手段を前記種別変化に応じて選択的に切換えることを特徴とする。
また、請求項４に係る発明は、受信信号を信号復調手段によって復調し、該復調信号を前記受信信号の種別に応じた雑音低減手段を介して出力する受信機における雑音低減方法であって、前記受信信号の種別に応じて前記雑音低減手段を選択的に切換える雑音低減手段選択手段と、前記雑音低減手段から出力された信号をアッテネータに供給するか直接出力するかを選択する出力ライン選択手段と、前記雑音低減手段選択手段と前記出力ライン選択手段を制御する制御手段とを備える受信機に対して、前記受信信号の種別変化を判断して、前記出力ライン選択手段を前記アッテネータに供給する側に選択する第１選択工程と、その後、前記雑音低減手段選択手段を前記種別変化に応じて選択的に切換える第２選択工程とを有することを特徴とする。
これらの請求項に係る発明の作用は、雑音低減手段選択手段を受信信号の種別変化に応じて選択する切換動作の前に、出力ラインの切換えをアッテネータ側に切換えるので、切換ノイズ等によるノイズを低減することができる。
【０００８】
上記の課題を解決するために、請求項２に記載の発明は、請求項１の雑音低減装置において、前記アッテネータはアッテネート量が調整可能であり、前記制御手段は前記アッテネート量を調整する調整手段を備え、該制御手段は、前記出力ライン選択手段を前記アッテネータに供給する側に選択するに先だって、前記アッテネータ量を最小にセットし、前記出力ライン選択手段を前記アッテネータに供給する側に選択した後、前記アッテネータ量を最大にセットして、前記雑音低減手段選択手段を前記種別変化に応じて選択的に切換えることを特徴とする。また、請求項５に記載の発明は、請求項４の雑音低減方法において、前記アッテネータはアッテネート量が調整可能であり、前記第１選択工程に先だって、前記アッテネータ量を最小にセットし、前記第１選択工程の後、前記アッテネータ量を最大にセットして、前記第２選択工程を行うことを特徴とする。
これらの請求項に係る発明によると、出力ラインをアッテネータ側に切り換える前に、アッテネータ量を最小に制御するので、切換え前の低ノイズ信号の出力レベルを変動させることが無い。また、出力ラインをアッテネータ側に切換えた後に、アッテネータ量を最大にセットし、その後に、雑音低減手段選択手段を切り換えるので、アッテネータによって出力レベルが最小になっている時に切換えが行われることになり、使用者には切換ノイズ等は殆ど感じられない。
また、請求項６記載の発明は、請求項５の雑音低減方法において、前記第２選択工程の切換え確認後に前記アッテネータ量を最小にセットし、その後、前記出力ライン選択手段を直接出力側に選択することを特徴とする。これによると、受信信号の種別による雑音低減手段の選択後には、アッテネータ側出力ラインのアッテネータ量が速やかに最小にセットされ、その後に、出力ラインがアッテネータを介さない出力ラインに切り換わるので、受信信号の種別に応じた低ノイズ信号の出力レベルを適正に確保できる。
【０００９】
上記課題を解決するために、請求項３に記載の発明は、請求項１又は請求項２に記載の受信機の雑音低減装置において、前記制御部は、前記受信信号中に含まれるパイロット信号に基づき前記受信信号がステレオ信号とモノラル信号の何れかであるかを判別する信号判別部を備え、前記信号復調手段は、ステレオ信号復調部とモノラル信号用復調部とを備え、前記雑音低減手段は、ステレオ信号雑音低減部とモノラル信号雑音低減部とを独立して備え、前記雑音低減手段選択手段は、前記信号判別部の判別結果に基づき、前記ステレオ信号復調部又は前記モノラル信号用復調部で復調された復調信号の供給先を前記ステレオ信号雑音低減部又は前記モノラル信号雑音低減部の何れかに切り換える信号供給切換部を備えることを特徴とする。これによると、前述した作用と併せて、ステレオ信号とモノラル信号からなる受信信号の雑音低減を確実に行うことが可能になる。
【００１０】
【発明の実施の形態】
次に、本発明に好適な実施の形態について、図面に基づいて説明する。なお、以下に説明する実施の形態は、ＦＭ信号に基づくチューナ部からのオーデオ信号について、その種別がＦＭステレオ信号とＦＭモノラル信号とで切換わる場合において、その供給先の雑音低減装置を選択的に切換えるものを示している。
【００１１】
始めに、図１を用いて実施の形態に係る雑音低減装置を有する受信機の概略を説明する。同図において、チューナー部１は異なる種別の信号、すなわちＦＭステレオ信号とＦＭモノラル信号それぞれを受信可能で、且つ信号の種別に応じて受信信号をステレオオーディオ信号又はモノラルオーディオ信号に復調する復調手段を備えている。このチューナー部１で復調されたステレオオーディオ信号又はモノラルオーディオ信号Ｓiは、次段の連動スイッチ３（雑音低減手段選択手段）に入力される。また、チューナー部１で検出されたパイロット信号Ｓpは、受信機の制御を司るＣＰＵ２に供給される。
【００１２】
同図から分かるように、連動スイッチ３は上記のチューナー部１の後段と、後述するモノラル処理部４及びステレオ処理部５の後段に位置する２つのスイッチから構成されており、ＣＰＵ２からの制御信号Ｓｓｗ１に基づきその接点が、接点ａと接点ｂのいずれか一方に選択的に切換えられる。この接点ａの後段（前段）にはモノラルオーディオ信号のノイズを低減するモノラル処理部４が設けられ、一方、接点ｂの後段（前段）にはステレオオーディオ信号のノイズを低減するステレオ処理部５が設けられている。
【００１３】
上記の、連動スイッチ３、ＣＰＵ２の動作を説明すると、ＣＰＵ２はチューナー部１から入力されるパイロット信号Ｓｐの有無を監視し、パイロット信号Ｓｐが有ると判断した場合は、現在受信中のＦＭ信号がステレオ信号であると判断し制御信号Ｓｓｗ１により連動スイッチ３の接点を接点ｂ側とする。これにより、チューナー部１で復調されたステレオオーディオ信号はステレオ処理部５に供給されることとなり、低ノイズステレオオーディオ信号が後段のスイッチ６に供給される。一方、ＣＰＵ２はチューナー部１から入力されるパイロット信号Ｓｐが無いと判断した場合は、現在受信中のＦＭ信号がモノラル信号であると判断し制御信号Ｓｓｗ１により連動スイッチ３の接点を接点ａ側とする。これにより、チューナー部１で復調されたモノラルオーディオ信号はモノラル処理部４に供給されることとなり、低ノイズモノラルオーディオ信号が後段のスイッチ６に供給される。
【００１４】
スイッチ６（出力ライン選択手段）は、ＣＰＵ２からの制御信号Ｓsw2によりその接点が、接点ｃと接点ｄのいずれか一方に選択的に切換えられる。この接点ｃの後段はスルーライン７とされていて、スイッチ６に供給される低ノイズステレオオーディオ信号、または低ノイズモノラルオーディオ信号を直接出力端子に供給する。一方、接点ｄの後段にはオーディオ信号の出力ゲインを調整するためのアッテネータ８が設けられている。このアッテネータ８はＣＰＵ２からの制御信号Ｓaに基づきアッテネート量がコントロールされるものであり、その詳細、並びに、上記連動スイッチ３、及びスイッチ６のＣＰＵ２による動作制御の詳細について、以下に図２、図３、図４を用いて説明する。
【００１５】
図２はＣＰＵ２による連動スイッチ３、スイッチ６及びアッテネータ８に対する動作制御の概略を示すフローチャートであり、図３は当該フローチャートに対応した連動スイッチ３、スイッチ６のタイミングチャート及びアッテネータ８のアッテネート量のコントロール状態を示すものである。また、この図３においては、受信信号の種別がＦＭモノラル信号からＦＭステレオ信号に変化した状態（特に、連動スイッチ３について）を示している。そして、図４は図２、図３に対応する制御がなされた時の、出力端子における低ノイズステレオオーディオ信号、または低ノイズモノラルオーディオ信号の出力レベルの変化を示す図である。まず、実施の態様の雑音低減装置におけるＣＰＵ２による制御が開始（スタート）されると、まずステップＳ１でＣＰＵ２はチューナー部１から送出されてくるパイロット信号Ｓｐの有無の変化（有→無、無→有）の状態を監視する。ここで、変化が生じていないと判断された場合は、以降、変化が生じたと判断するまで、もしくは外部からの雑音低減装置の動作終了指令が発せられるまで、繰り返しステップＳ１の判断を行う。
【００１６】
ＣＰＵ２はステップＳ1で変化が生じた、すなわちパイロット信号無し状態からパイロット信号有りの状態に変化、すなわち受信信号の種別がＦＭモノラル信号からＦＭステレオ信号に変化した、または、パイロット信号有りの状態からパイロット信号無しの状態に変化、すなわち受信信号の種別がＦＭステレオ信号からＦＭモノラル信号に変化したと判断した場合（ステップＳ1：yes)には、ステップＳ２に移行し、アッテネータ８を制御信号Ｓaによりコントロールしてアッテネート量を最小にセットする。
【００１７】
続いて、ＣＰＵ２はアッテネータ８のアッテネート量が最小にセットされたことを確認した後、ステップＳ３に移行し、制御信号Ｓsw2によりスイッチ６をコントロールして、その接点を接点ｄ側に、ここで始めて切換える。この結果、スルーライン７を介して直接出力端子に供給されていた、低ノイズステレオオーディオ信号、または低ノイズモノラルオーディオ信号が、アッテネータ８側に供給されることとなるがこの時点ではアッテネート量が最小にセットされているため、出力端子での出力レベルの変動はほとんど無い。
【００１８】
続いて、ＣＰＵ２はスイッチ６の接点が接点ｄ側に切換わったことを確認した後、ステップＳ４に移行し、アッテネータ８を制御信号Ｓaによりコントロールしてアッテネート量を最大にセットする。これによって、低ノイズステレオオーディオ信号、または低ノイズモノラルオーディオ信号の出力端子での出力レベルがアッテネータ８による最小レベルまで落とされることとなる。
【００１９】
そして、ＣＰＵ２はアッテネータ８のアッテネート量が最大にセットされたことを確認した後、ステップＳ５に移行し、制御信号Ｓsw1により連動スイッチ３をコントロールして、その接点を接点ａ又は接点ｂ側に切換える。なお、前述の通り図３においては、連動スイッチ３の接点を接点ａから接点ｂ側に切換えたことを示している。このようにして、連動スイッチ３の接点の切換は低ノイズステレオオーディオ信号、または低ノイズモノラルオーディオ信号の出力端子での出力レベルが最小となっている時に行われる為、使用者にはスイッチングノイズや、漏れ込みによるノイズは殆ど感じられない。
【００２０】
続いて、ＣＰＵ２は連動スイッチ３の切換が完了したことを確認した後、ステップＳ６に移行し、アッテネータ８を制御信号Ｓaによりコントロールして再びアッテネート量を最小にセットする。これにより、低ノイズステレオオーティオ信号、または低ノイズモノラルオーティオ信号の出力端子での出力レベルがスル一ライン７を介した時と同様の最大レベルとなる。
【００２１】
そして、最後にＣＰＵ２はアッテネータ８のアッテネート量が最小にセットされたことを確認した後、ステップＳ７に移行し、制御信号Ｓsw2によりスイッチ６をコントロールして、その接点を接点ｄ側から接点ｃ側に切換える。これにより、低ノイズステレオオーディオ信号、または低ノイズモノラルオーディオ信号はスルーライン７を介して出力端子に供給される。
【００２２】
そして、ＣＰＵ２は外部からの雑音低減装置の動作終了指令が発せられるまで、上記ステップＳ１からの処理を繰り返し実行するものである。
【００２３】
なお、上記実施の態様にける連動スイッチ３、スイッチ６の切換タイミング、ならびにアッテネータ８のアッテネート特性等は適宜設定されるべきものである。
【００２４】
【発明の効果】
以上説明したように、本発明によれば、雑音低減装置又は雑音低減方法による切換ノイズや漏れ込み信号によるノイズを低減するという効果が得られる。また、本発明によれば、異なる種別に応じた雑音低減装置により十分なノイズ低減が可能となり、且つ雑音低減装置により切換ノイズや漏れ込み信号によるノイズを低減するという効果が得られる。更に本発明によれば、択一的に選択する出力ライン選択手段によって確実に切換ノイズの低減がなされるという効果が得られる。
【図面の簡単な説明】
【図１】実施態様の雑音低減装置のブロック図である。
【図２】実施態様の雑音低減装置の動作を示すフローチャート図である。
【図３】図３のフローチャートに対応する実施態様のタイミングチャート図である。
【図４】実施態様の低雑音音声の出力信号の変化を示す図である。
【符号の説明】
１…チューナー部（信号復調手段）
２…ＣＰＵ（制御手段）
３…連動スイッチ（雑音低減手段選択手段）
４…モノラル処理部（雑音低減手段：モノラル信号雑音低減部）
５…ステレオ処理部（雑音低減手段：ステレオ信号雑音低減部）
６…スイッチ（出力ライン選択手段）
７…スルーライン
８…アッテネータ
Ｓｉ…入力信号
Ｓｏ…出力信号
Ｓp…信号判別のパイロット信号
Ｓsw1，Ｓsw2…スイッチ制御信号
Ｓa…ゲイン制御信号
【図１】
0003592073.tif 000002
【図２】
0003592073.tif 000003
【図３】
0003592073.tif 000004
【図４】
0003592073.tif 000005